【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
所与の患者用の放射線治療プランを作成するための方法であって、
放射線治療を受ける予定の患者の内部の表示を含むイメージングデータを受信すること、
治療計画プロセスを繰り返し実行することであって、
前記イメージングデータによって表される、１つ以上の解剖学的構造と少なくとも１つの腫瘍体積とを特定する少なくとも１つの輪郭を検出すること、
前記少なくとも１つの輪郭および先行患者の線量照射プランに基づいて前記患者用の線量照射プランのセットを計算すること、
前記少なくとも１つの輪郭、先行患者治療成績、および前記線量照射プランのセットに基づいて前記患者に対する１つ以上の推奨治療成績を計算すること、
ユーザインターフェースにおいて、評価のために、臨床医に前記推奨治療成績のセットを提示することを含む前記治療計画プロセスを繰り返し実行すること、
前記臨床医から所与の推奨治療成績についての選択を受信すること、
選択された治療成績を達成するための前記患者用の治療プランを生成するためのシステムに、選択された治療成績を提供することを備える、方法。
【請求項２】
治療成績が、１つ以上の有害事象のセットを示し、各有害事象が、以下のアウトカム、すなわち、特定された各解剖学的構造に対する毒性レベルの確率および、特定された各解剖学的構造に対する最も可能性が高い毒性レベルのうちの１つ以上に関連する、請求項１に記載の方法。
【請求項３】
治療成績が、腫瘍再発の確率、局所再発または遠隔再発などの腫瘍再発の種類、および腫瘍再発までに予想される時間の長さのうちの１つ以上を示す、請求項１または２に記載の方法。
【請求項４】
前記推奨治療成績のセットのうちの第１治療成績が、先行患者の線量照射プランに基づく治療成績モデルおよび前記先行患者の線量照射プランに関連する治療成績を用いて生成される予測治療成績である、請求項１〜３のいずれか１項に記載の方法。
【請求項５】
前記治療成績モデルが、さらに、前記線量照射プランに関連する前記先行患者の病歴に基づく、請求項４に記載の方法。
【請求項６】
前記推奨治療成績のセットの計算が、前記治療成績モデルを用いて前記第１治療成績を計算し、前記第１治療成績から閾値差内にある先行患者治療成績のセットを決定することを含む、請求項４に記載の方法。
【請求項７】
前記臨床医から、最適化の目的で、前記推奨治療成績の１つについての選択を受信することであって、当該選択された推奨治療成績の１つを最適化することが、前記臨床医によって規定される１つ以上のフィルタリング基準を適用することを含む、前記受信すること、
前記選択された推奨治療成績から閾値差内にあり、かつ前記１つ以上のフィルタリング基準に基づく先行患者治療成績の新セットを決定すること、
前記ユーザインターフェースにおいて、評価のために、臨床医に前記先行患者治療成績の新セットを提示することをさらに含む、請求項１〜６のいずれか１項に記載の方法。
【請求項８】
前記フィルタリング基準が、前記治療成績からの有害事象の除外または有害事象のアウトカムに関する閾値限界のうちの１つ以上を含む、請求項７に記載の方法。
【請求項９】
前記少なくとも１つの輪郭の検出が、以前に検出された輪郭が改変されていることを決定すること、または、前記イメージングデータによって表される、１つ以上の解剖学的構造および少なくとも１つの腫瘍体積を特定する新たな輪郭を検出することを含む、請求項１〜８のいずれか１項に記載の方法。
【請求項１０】
前記ユーザインターフェースは、前記臨床医が、前記イメージングデータの視覚表示上で、手動で１つ以上の輪郭を定めること、以前に検出された輪郭を除去すること、または複数の選択された解剖学的構造についての以前に検出された輪郭を修正することを可能にする、請求項１〜９のいずれか１項に記載の方法。
【請求項１１】
前記ユーザインターフェースは、
前記線量照射プランのセットによって生じる可能性のある複数の有害事象と、
各有害事象についての予測アウトカムを示す、前記所与の患者についての予測治療成績と、
１つ以上の先行患者治療成績であって、各先行患者治療成績が、各有害事象のアウトカム、示されたアウトカム、前記先行患者治療成績に関連する前記先行患者の線量照射プランの成績を提示する１つ以上の前記先行患者治療成績とを画像により提示する、請求項１０に記載の方法。
【請求項１２】
前記ユーザインターフェースにおける少なくとも１つの輪郭の追加、除去または改変の検出の結果、前記ユーザインターフェースに表示される推奨治療成績の新セットが計算される、請求項１１に記載の方法。
【請求項１３】
前記ユーザインターフェースは、選択された各有害事象のアウトカムが前記ユーザインターフェースに表示されるように前記ユーザインターフェースでの表示のために選択され得る追加の有害事象のリストを備える、請求項１１に記載の方法。
【請求項１４】
臨床医が前記有害事象の１つ以上を前記ユーザインターフェースでの表示から除去できるように前記ユーザインターフェースは構成されている、請求項１１に記載の方法。
【請求項１５】
作成された治療プランが、前記所与の患者に適用するための、前記選択された推奨治療成績に関連する線量照射プランを含む、請求項１〜８のいずれか１項に記載の方法。
【手続補正２】
【補正対象書類名】明細書
【補正対象項目名】００８５
【補正方法】変更
【補正の内容】
【００８５】
最後に、本明細書で用いられる用語は、主として読みやすさおよび教育目的で選択されたものであり、本発明の主題事項を詳述するかまたは制限するために選択されたものではない。したがって、本発明の範囲は、この詳細な説明によって限定されるものではなく、むしろ、それに基づいて用途が生じる任意のクレームによって限定されることを意図する。従って、本発明の実施形態の開示は、例示目的を意図し、本発明の範囲を限定するものではなく、本発明の範囲は添付の特許請求の範囲において述べられる。
［付記１］  所与の患者用の放射線治療プランを作成するための方法であって、
放射線治療を受ける予定の患者の内部の表示を含むイメージングデータを受信すること、
治療計画プロセスを繰り返し実行することであって、
前記イメージングデータによって表される、１つ以上の解剖学的構造と少なくとも１つの腫瘍体積とを特定する少なくとも１つの輪郭を検出すること、
前記少なくとも１つの輪郭および先行患者の線量照射プランに基づいて前記患者用の線量照射プランのセットを計算すること、
前記少なくとも１つの輪郭、先行患者治療成績、および前記線量照射プランのセットに基づいて前記患者に対する１つ以上の推奨治療成績を計算すること、
ユーザインターフェースにおいて、評価のために、臨床医に前記推奨治療成績のセットを提示することを含む前記治療計画プロセスを繰り返し実行すること、
前記臨床医から所与の推奨治療成績についての選択を受信すること、
選択された治療成績を達成するための前記患者用の治療プランを生成するためのシステムに、選択された治療成績を提供することを備える、方法。
［付記２］  治療成績が、１つ以上の有害事象のセットを示し、各有害事象が、以下のアウトカム、すなわち、特定された各解剖学的構造に対する毒性レベルの確率および、特定された各解剖学的構造に対する最も可能性が高い毒性レベルのうちの１つ以上に関連する、付記１に記載の方法。
［付記３］  治療成績が、腫瘍再発の確率、局所再発または遠隔再発などの腫瘍再発の種類、および腫瘍再発までに予想される時間の長さのうちの１つ以上を示す、付記１または２に記載の方法。
［付記４］  前記推奨治療成績のセットのうちの第１治療成績が、先行患者の線量照射プランに基づく治療成績モデルおよび前記先行患者の線量照射プランに関連する治療成績を用いて生成される予測治療成績である、付記１〜３のいずれか１つに記載の方法。
［付記５］  前記治療成績モデルが、さらに、前記線量照射プランに関連する前記先行患者の病歴に基づく、付記４に記載の方法。
［付記６］  前記推奨治療成績のセットの計算が、前記治療成績モデルを用いて前記第１治療成績を計算し、前記第１治療成績から閾値差内にある先行患者治療成績のセットを決定することを含む、付記４に記載の方法。
［付記７］  前記臨床医から、最適化の目的で、前記推奨治療成績の１つについての選択を受信することであって、当該選択された推奨治療成績の１つを最適化することが、前記臨床医によって規定される１つ以上のフィルタリング基準を適用することを含む、前記受信すること、
前記選択された推奨治療成績から閾値差内にあり、かつ前記１つ以上のフィルタリング基準に基づく先行患者治療成績の新セットを決定すること、
前記ユーザインターフェースにおいて、評価のために、臨床医に前記先行患者治療成績の新セットを提示することをさらに含む、付記１〜６のいずれか１つに記載の方法。
［付記８］  前記フィルタリング基準が、前記治療成績からの有害事象の除外または有害事象のアウトカムに関する閾値限界のうちの１つ以上を含む、付記７に記載の方法。
［付記９］  前記少なくとも１つの輪郭の検出が、以前に検出された輪郭が改変されていることを決定すること、または、前記イメージングデータによって表される、１つ以上の解剖学的構造および少なくとも１つの腫瘍体積を特定する新たな輪郭を検出することを含む、付記１〜８のいずれか１つに記載の方法。
［付記１０］  前記ユーザインターフェースは、前記臨床医が、前記イメージングデータの視覚表示上で、手動で１つ以上の輪郭を定めること、以前に検出された輪郭を除去すること、または複数の選択された解剖学的構造についての以前に検出された輪郭を修正することを可能にする、付記１〜９のいずれか１つに記載の方法。
［付記１１］  前記ユーザインターフェースは、
前記線量照射プランのセットによって生じる可能性のある複数の有害事象と、
各有害事象についての予測アウトカムを示す、前記所与の患者についての予測治療成績と、
１つ以上の先行患者治療成績であって、各先行患者治療成績が、各有害事象のアウトカム、示されたアウトカム、前記先行患者治療成績に関連する前記先行患者の線量照射プランの成績を提示する１つ以上の前記先行患者治療成績とを画像により提示する、付記１０に記載の方法。
［付記１２］  前記ユーザインターフェースにおける少なくとも１つの輪郭の追加、除去または改変の検出の結果、前記ユーザインターフェースに表示される推奨治療成績の新セットが計算される、付記１１に記載の方法。
［付記１３］  前記ユーザインターフェースは、選択された各有害事象のアウトカムが前記ユーザインターフェースに表示されるように前記ユーザインターフェースでの表示のために選択され得る追加の有害事象のリストを備える、付記１１に記載の方法。
［付記１４］  臨床医が前記有害事象の１つ以上を前記ユーザインターフェースでの表示から除去できるように前記ユーザインターフェースは構成されている、付記１１に記載の方法。
［付記１５］  作成された治療プランが、前記所与の患者に適用するための、前記選択された推奨治療成績に関連する線量照射プランを含む、付記１〜８のいずれか１つに記載の方法。
［付記１６］  所与の患者用の放射線治療プランを作成するための実行可能コンピュータプログラム命令を記憶する非一時的コンピュータ読み取り可能記憶媒体であって、前記命令が、
放射線治療を受ける予定の患者の内部の表示を含むイメージングデータを受信するステップと、
治療計画プロセスを繰り返し実行するステップであって、
前記イメージングデータによって表される、１つ以上の解剖学的構造と少なくとも１つの腫瘍体積とを特定する少なくとも１つの輪郭を検出すること、
前記少なくとも１つの輪郭および先行患者の線量照射プランに基づいて前記患者用の線量照射プランのセットを計算すること、
前記少なくとも１つの輪郭、先行患者治療成績、および前記線量照射プランのセットに基づいて前記患者に対する１つ以上の推奨治療成績を計算すること、
ユーザインターフェースにおいて、評価のために、臨床医に前記推奨治療成績のセットを提示することを含む前記治療計画プロセスを繰り返し実行するステップと、
前記臨床医から所与の推奨治療成績についての選択を受信するステップと、
選択された治療成績を達成するための前記患者用の治療プランを生成するためのシステムに、選択された治療成績を提供するステップとを含むステップを実行させる、コンピュータ読み取り可能記憶媒体。
［付記１７］  治療成績が、１つ以上の有害事象のセットを示し、各有害事象が、以下のアウトカム、すなわち、特定された各解剖学的構造に対する毒性レベルの確率および、特定された各解剖学的構造に対する最も可能性が高い毒性レベルのうちの１つ以上に関連する、付記１６に記載のコンピュータ読み取り可能記憶媒体。
［付記１８］  前記推奨治療成績のセットのうちの第１治療成績が、先行患者の線量照射プランに基づく治療成績モデルおよび前記先行患者の線量照射プランに関連する治療成績を用いて生成される予測治療成績である、付記１６または１７に記載のコンピュータ読み取り可能記憶媒体。
［付記１９］  前記治療成績モデルが、さらに、前記先行患者の線量照射プランに関連する前記先行患者の病歴に基づく、付記１８に記載の方法。
［付記２０］  前記命令が前記推奨治療成績のセットを計算するステップを実行させることは、前記治療成績モデルを用いて前記第１治療成績を計算することと、前記第１治療成績から閾値差内にある先行患者治療成績のセットを決定することをさらに含む、付記１８に記載のコンピュータ読み取り可能記憶媒体。
［付記２１］  前記命令は、
前記臨床医から、最適化の目的で、前記推奨治療成績の１つについての選択を受信することであって、当該選択された推奨治療成績の１つを最適化することが、前記臨床医によって規定される１つ以上のフィルタリング基準を適用することを含む、前記受信することと、
前記選択された推奨治療成績から閾値差内にあり、かつ前記１つ以上のフィルタリング基準に基づく先行患者治療成績の新セットを決定することと、
前記ユーザインターフェースにおいて、評価のために、臨床医に前記先行患者治療成績の新セットを提示することとをさらに含むステップを実行させる、付記１６〜２０のいずれか１つに記載のコンピュータ読み取り可能記憶媒体。
［付記２２］  前記命令が前記ユーザインターフェースにデータを加えるステップを実行させることは、
放射線治療を受ける予定の前記患者の前記内部の前記表示を含む前記イメージングデータを提示すること、
前記イメージングデータによって表される、１つ以上の解剖学的構造および少なくとも１つの腫瘍体積を特定する前記少なくとも１つの検出された輪郭を提示すること、
前記線量照射プランのセットによって生じる可能性のある複数の有害事象を提示すること、
各有害事象についての予測アウトカムを示す、前記所与の患者についての第１治療成績、および
１つ以上の追加治療成績であって、各追加治療成績が、各有害事象についてのアウトカム、示されたアウトカム、前記治療成績に関連する先行患者の線量照射プランの成績を示す、前記１つ以上の追加治療成績を含む前記推奨治療成績のセットを提示することを含む、付記１６〜２１のいずれか１つに記載のコンピュータ読み取り可能記憶媒体。
［付記２３］  前記命令が前記ユーザインターフェースにデータを加えるステップを実行させることは、
少なくとも１つの検出された輪郭の追加、除去または改変を検出すること、
任意の追加された輪郭、任意の改変された輪郭および、変更されていない任意の以前に検出された輪郭を含む少なくとも１つの輪郭の新セットを作成すること、
検出と同時に、輪郭の新セットに基づいて、推奨治療成績の新セットを計算すること、
前記推奨治療成績の新セットを提示することをさらに含む、付記２２に記載の、コンピュータ読み取り可能記憶媒体。
［付記２４］  所与の患者用の放射線治療プランを作成するためのコンピュータシステムであって、
放射線治療を受ける予定の患者の内部の表示を含むイメージングデータを受信し、
治療計画プロセスであって、
前記イメージングデータによって表される、１つ以上の解剖学的構造と少なくとも１つの腫瘍体積とを特定する少なくとも１つの輪郭を検出すること、
前記少なくとも１つの輪郭および先行患者の線量照射プランに基づいて前記患者用の線量照射プランのセットを計算すること、
前記少なくとも１つの輪郭、先行患者治療成績、および前記線量照射プランのセットに基づいて前記患者に対する１つ以上の推奨治療成績を計算すること、
ユーザインターフェースに、評価のために、臨床医に前記推奨治療成績のセットを提示することを含む前記治療計画プロセスを繰り返し実行し、
前記臨床医から所与の推奨治療成績についての選択を受信し、
選択された治療成績を達成するための前記患者用の治療プランを生成するためのシステムに、選択された治療成績を提供するステップを実行させる命令を含む実行可能コンピュータプログラム命令を記憶する非一時的なコンピュータ読み取り可能記憶媒体と、
前記実行可能コンピュータプログラム命令を実行するプロセッサとを備える、コンピュータシステム。
［付記２５］  所与の患者用の放射線治療プランを作成するための方法であって、
放射線治療を受ける予定の患者の内部の表示を含むイメージングデータを受信すること、
治療計画プロセスを繰り返し実行することであって、
前記イメージングデータによって表される、１つ以上の解剖学的構造および少なくとも１つの腫瘍体積を特定する少なくとも１つの輪郭を検出すること、
前記少なくとも１つの輪郭および先行患者の線量照射プランに基づいて前記患者用の線量照射プランのセットを計算すること、
前記少なくとも１つの輪郭、先行患者治療成績、および前記線量照射プランのセットに基づいて前記患者に対する１つ以上の推奨治療成績を計算すること、
ユーザインターフェースにおいて、評価のために、臨床医に前記推奨治療成績のセットを提示すること
を含む前記治療計画プロセスを繰り返し実行することを含む、方法。
［付記２６］  前記患者用の治療プランを生成するためのシステムに、前記臨床医によって選択された治療成績を提供することをさらに含む、付記２５に記載の方法。
［付記２７］  治療成績が、１つ以上の有害事象のセットを示し、各有害事象が、以下のアウトカム、すなわち、特定された各解剖学的構造に対する毒性レベルの確率および、特定された各解剖学的構造に対する最も可能性が高い毒性レベルのうちの１つ以上に関連する、付記２５または２６に記載の方法。
［付記２８］  治療成績が、腫瘍再発の確率、局所再発または遠隔再発などの腫瘍再発の種類、および腫瘍再発までに予想される時間の長さのうちの１つ以上を示す、付記２５〜２７のいずれか１つに記載の方法。
［付記２９］  前記推奨治療成績のセットのうちの第１治療成績が、先行患者の線量照射プランに基づく治療成績モデルおよび前記先行患者の線量照射プランに関連する治療成績を用いて生成される予測治療成績である、付記２５〜２８のいずれか１つに記載の方法。
［付記３０］  前記治療成績モデルが、さらに、前記線量照射プランに関連する前記先行患者の病歴に基づく、付記２９に記載の方法。
［付記３１］  前記推奨治療成績のセットの計算が、前記治療成績モデルを用いて前記第１治療成績を計算し、前記第１治療成績から閾値差内にある先行患者治療成績のセットを決定することを含む、付記２９に記載の方法。
［付記３２］  前記臨床医から、最適化の目的で、前記推奨治療成績の１つについての選択を受信することであって、当該選択された推奨治療成績の１つを最適化することが、前記臨床医によって規定される１つ以上のフィルタリング基準を適用することを含む、前記受信することと、
前記選択された推奨治療成績から閾値差内にあり、かつ前記１つ以上のフィルタリング基準に基づく先行患者治療成績の新セットを決定することと、
前記ユーザインターフェースにおいて、評価のために、臨床医に前記先行患者治療成績の新セットを提示することとをさらに含む、付記２５〜３１のいずれか１つに記載の方法。
［付記３３］  前記フィルタリング基準が、前記治療成績からの有害事象の除外または有害事象のアウトカムに関する閾値限界のうちの１つ以上を含む、付記３２に記載の方法。
［付記３４］  前記ユーザインターフェースは、前記臨床医が、前記イメージングデータの視覚表示上で、手動で１つ以上の輪郭を定めること、以前に検出された輪郭を除去すること、または、複数の選択された解剖学的構造についての以前に検出された輪郭を修正することを可能にする、付記２５〜３３のいずれか１つに記載の方法。
［付記３５］  前記ユーザインターフェースは、
前記線量照射プランのセットによって生じる可能性のある複数の有害事象と、
各有害事象についての予測アウトカムを示す、前記所与の患者についての予測治療成績と、
１つ以上の先行患者治療成績であって、各先行患者治療成績が、各有害事象のアウトカム、提示されたアウトカム、前記先行患者治療成績に関連する前記先行患者の線量照射プランの成績を提示する１つ以上の前記先行患者治療成績とを画像により提示する、付記３４に記載の方法。
［付記３６］  前記ユーザインターフェースにおける少なくとも１つの輪郭の追加、除去または改変の検出の結果、前記ユーザインターフェースに表示される推奨治療成績の新セットが計算される、付記３５に記載の方法。
［付記３７］  前記ユーザインターフェースは、選択された各有害事象のアウトカムが前記ユーザインターフェースに表示されるように前記ユーザインターフェースでの表示のために選択され得る追加の有害事象のリストを備える、付記３５に記載の方法。
［付記３８］  臨床医が前記有害事象の１つ以上を前記ユーザインターフェースでの表示から除去できるように前記ユーザインターフェースは構成されている、付記３５に記載の方法。
［付記３９］  作成された治療プランが、前記所与の患者に適用するための、前記選択された推奨治療成績に関連する線量照射プランを含む、付記２５〜３８のいずれか１つに記載の方法。